【手続補正書】
【提出日】平成21年11月20日(2009.11.20)
【手続補正１】
【補正対象書類名】特許請求の範囲
【補正対象項目名】請求項１
【補正方法】変更
【補正の内容】
【請求項１】
営利行為や非営利行為の手段の広告宣伝内容の容姿を具備したことを特徴とする医療目的の医療治癒粘着シート。
【手続補正２】
【補正対象書類名】特許請求の範囲
【補正対象項目名】請求項２
【補正方法】変更
【補正の内容】
【請求項２】
請求項１にあって、その特徴に沿う形状に裁断されたことを特徴とする医療目的の医療治癒粘着シート。
【手続補正３】
【補正対象書類名】明細書
【補正対象項目名】発明の名称
【補正方法】変更
【補正の内容】
【発明の名称】有料広告宣伝付き医療治癒粘着シート
【手続補正４】
【補正対象書類名】明細書
【補正対象項目名】０００１
【補正方法】変更
【補正の内容】
【０００１】技術分野    本発明は、打ち身や捻挫あるいは腰痛や肩痛または切開などの医療治癒の一環として貼られる医療治癒粘着シートへ世間一般有料の広告宣伝内容の容姿を具備したことを特徴とする医療目的の医療治癒粘着シートに関するものである。
【手続補正５】
【補正対象書類名】明細書
【補正対象項目名】０００２
【補正方法】変更
【補正の内容】
【０００２】背景技術従来、医療治癒の一環として貼られる粘着シートはその貼られた粘着シートの存在を隠すか或いは目立たせない工夫の技術が施され肌色もしくは下着色に模した色が採用されておりこの色自体が気の滅入る雰囲気であるとともに模した色にもかかわらず患者はこれを隠したいと願うあまり貼った箇所をスカーフや服で隠すなど及び小さくなって隠れるように入浴するか若しくは恥ずかしさのあまり人前での入浴を諦めるなど又は外出を諦めるなどの精神状況を生みそれが医療治癒に対する悲観的状態に陥るなどのマイナス要因を生じていた。これらの解消を目的に次に掲げる特許文献１から特許文献１２などはあるが製造コストや販売価格等を低減させる効果はなかった。（例えば特許など文献１〜１２）がある。【特許文献１】登録実用新案第３１０５６８２号
【特許文献２】実用新案公開平７‐５６１６号
【特許文献３】実用新案公開平５‐９１６３７号
【特許文献４】実用新案公開平５‐０３３７１８号
【特許文献５】登録実用新案第３０５８８８７号
【特許文献６】特許公開２００４‐３５１７９５号
【特許文献７】特許公開２００１‐１４５６５５号
【特許文献８】特許公開平１０‐２３４７７２号
【特許文献９】特許公開平１０‐２９５７２０号
【特許文献１０】特許公開２００５−１１１８５９号
【特許文献１１】特許公開２００５−１４８９２１号
【特許文献１２】特許公開２００６−９５０３７号
【手続補正６】
【補正対象書類名】明細書
【補正対象項目名】０００３
【補正方法】変更
【補正の内容】
【０００３】前記らがなされているが全てに満足できるものではなく、これらの欠点を述べてみれば以下のごとくである。１]取り外しの煩雑さの解消と装身具的な役割の絆創膏である２]使用頻度に対する肌かぶれに対処する絆創膏である３]容易に指先を被覆保護する絆創膏である４]筆記性、識別性、誇示性、蛍光色等の着色層の粘着テープである５]入浴時の熱湯長湯を避ける自意識を促す手段としてハート形の湿布薬シートである６]関節等の大きな急激な動きに対して剥がれにくい絆創膏である７]医療切開等の手術後の傷跡を隠すために貼る肌色に近い絆創膏である８]着色可能で文字や図柄や写真や絵を描いている。９]結婚祝いメッセージを書き込み可能な貼り付け片が数枚で構成された貼り絵である１０]ＩＣタグの利用方法である１１]ＩＣタグの装着装置の必要がある
【手続補正７】
【補正対象書類名】明細書
【補正対象項目名】０００４
【補正方法】変更
【補正の内容】
【０００４】発明が解決しようとする課題    従来の技術では、人の肌に直接貼り付けて使う医療目的の粘着シート類は、貼りやすく剥がれ難いとか肌かぶれを少しでも防ぐとか或いは薬効促進とか傷口に貼り付け目立たせないなど又は着色や図柄や写真などあるいは筆記性や識別性や誇張性の機能を付加した類のものであって製造コストや販売価格を低減させる機能はなかった。
【手続補正８】
【補正対象書類名】明細書
【補正対象項目名】０００５
【補正方法】変更
【補正の内容】
【０００５】    従って本発明の目的とするところは、従来の課題を解決するもので医療治癒粘着シートへ有料課金により具備される広告宣伝内容の具備料金そのものが医療治癒粘着シートの製造コスト減に寄与するため販売価格の低減を促し最終的に医療にかかる公金投下の低減ができる利点を可能にするところにある。
【手続補正９】
【補正対象書類名】明細書
【補正対象項目名】０００６
【補正方法】変更
【補正の内容】
【０００６】課題を解決するための手段    本発明の医療目的の医療治癒粘着シートは、患者へ貼り付けたあとも有料課金により請け負った広告宣伝内容が視認可能なように具備整えることで広告宣伝の訴求ができる利点を可能にするところにある。
【手続補正１０】
【補正対象書類名】明細書
【補正対象項目名】０００７
【補正方法】変更
【補正の内容】
【０００７】  本発明の医療目的の医療治癒粘着シートは、医療目的の医療治癒粘着シートへ具備した広告宣伝内容の特徴に沿って医療目的の医療治癒粘着シートの周囲を裁断し整えて訴求向上ができる利点を可能にするところにある。
【手続補正１１】
【補正対象書類名】明細書
【補正対象項目名】０００８
【補正方法】変更
【補正の内容】
【０００８】発明の効果    本発明の医療目的の医療治癒粘着シートは、医療治癒粘着シートへ具備される有料課金の広告宣伝内容の具備料金そのものが間接的に医療治癒粘着シートの製造コスト低減に寄与するため販売価格の低減を促し最終的に医療にかかる公金投下の低減に役立つことから公的有益性が図れるという利点がある。
【手続補正１２】
【補正対象書類名】明細書
【補正対象項目名】０００９
【補正方法】変更
【補正の内容】
【０００９】発明を実施するための最良の形態従来の課題を解決するために本発明の医療目的の医療治癒粘着シート図１（５）は、広告宣伝内容など（４）を施し具備整える。
【手続補正１３】
【補正対象書類名】明細書
【補正対象項目名】００１０
【補正方法】変更
【補正の内容】
【００１０】    医療治癒粘着シート図１（５）は、広告宣伝内容など全形周囲（１）に沿って裁断し整える。
【手続補正１４】
【補正対象書類名】明細書
【補正対象項目名】００１１
【補正方法】変更
【補正の内容】
【００１１】図１の形状（５）と全形周囲（１）と広告宣伝内容（４）の表現内容と種類および配置等はこれを特定するものではなく依頼元の指示により異なる。
【手続補正１５】
【補正対象書類名】明細書
【補正対象項目名】００１２
【補正方法】変更
【補正の内容】
【００１２】実施例１図１は、実施例１における医療治癒粘着シート（５）を示すものである。
【手続補正１６】
【補正対象書類名】明細書
【補正対象項目名】００１３
【補正方法】変更
【補正の内容】
【００１３】図において（５）は医療治癒粘着シートで、（１）は医療治癒粘着シート（５）の全形周囲であり（４）は有料課金で広告宣伝の依頼を行った企業名である。
【手続補正１７】
【補正対象書類名】明細書
【補正対象項目名】００１４
【補正方法】変更
【補正の内容】
【００１４】医療治癒粘着シートは、（１）の形に沿って裁断し整える。
【手続補正１８】
【補正対象書類名】明細書
【補正対象項目名】００１５
【補正方法】変更
【補正の内容】
【００１５】産業上の利用可能性    以上のように本発明にかかる医療目的の医療治癒粘着シートは、医療治癒粘着シートへ具備される有料課金の広告宣伝内容の具備料金そのものが間接的に医療治癒粘着シートの製造コスト低減に寄与するため販売価格の低減を促し最終的に医療にかかる公金投下の低減に役立つことから公的有益性が図れるという利点を可能にするところにある。
【手続補正１９】
【補正対象書類名】明細書
【補正対象項目名】００１６
【補正方法】変更
【補正の内容】
【００１６】図面の簡単な説明【図１】本発明の広告宣伝内容を具備した例で自動車会社依頼の医療治癒粘着シートである。実施例１
【手続補正２０】
【補正対象書類名】明細書
【補正対象項目名】００１７
【補正方法】変更
【補正の内容】
【００１７】符号の説明１  医療治癒粘着シートの全形周囲４  広告宣伝内容５  医療治癒粘着シート        
【手続補正２１】
【補正対象書類名】図面
【補正対象項目名】図１
【補正方法】変更
【補正の内容】
【図１】
2008125518.tif 000001